(57)【要約】【課題】狭い場所にも配置することのできるスイッチ操作ボタンおよび該スイッチ操作ボタンを使用したスイッチ機構を提供する。【解決手段】スイッチ操作ボタン１は、第１，第２の被押圧部２，３を上面４に備え、下面５側に第１，第２のスイッチを押圧するスイッチ押圧部６，７を設けたボタン本体部８と、ボタン本体部８の第１，第２の被押圧部２，３の中間部において、これら第１，第２の被押圧部２，３を押圧する方向に延びる弾性を有するアーム部９と、で構成されている。【選択図】  図１
2007073386.tif 000002
【特許請求の範囲】
【請求項１】
電子機器に取付けられて一端側の第１の被押圧部を押圧すると該第１の被押圧部が押し下げられて電子機器に設けた第１のスイッチを押圧操作し、他端側の第２の被押圧部を押圧すると該第２の被押圧部が押し下げられて電子機器に設けた第２のスイッチを押圧操作するスイッチ操作ボタンであって、
前記スイッチ操作ボタンは、前記第１，第２の被押圧部を第１の面に備え、該第１の面と反対側の第２の面に前記第１，第２のスイッチを押圧するスイッチ押圧部を設けたボタン本体部と、該ボタン本体部の前記第１の被押圧部と第２の被押圧部の中間部においてこれら第１，第２の被押圧部を押圧する方向に延びる弾性を有するアーム部と、を備え、該アーム部の先端部が電子機器に取付けられていることを特徴とするスイッチ操作ボタン。
【請求項２】
前記アーム部は、先端部に両側に向かって延びる一対の補助アーム部と、を備え、前記一対の補助アーム部の先端部が前記電子機器に取付けられていることを特徴とする請求項１に記載のスイッチ操作ボタン。
【請求項３】
前記補助アーム部の先端部にボス受部を設け、該ボス受部に前記電子機器に設けたボス部を挿入して、該ボス部に前記補助アーム部の先端部を固定したことを特徴とする請求項２に記載のスイッチ操作ボタン。
【請求項４】
前記一対の補助アーム部の先端部は、前記アーム本体部の先端部よりも前記ボタン本体部側に位置していることを特徴とする請求項２に記載のスイッチ操作ボタン。
【請求項５】
前記ボタン本体部は、前記アーム部の根元部分に軸部を備えていて、該軸部が電子機器の軸受部に回動可能に支持されていることを特徴とする請求項１に記載のスイッチ操作ボタン。
【請求項６】
電子機器に取付けられてスイッチ操作ボタンの一端側の第１の被押圧部を押圧すると該第１の被押圧部が押し下げられて電子機器に設けた第１のスイッチを押圧操作し、他端側の第２の被押圧部を押圧すると該第２の被押圧部が押し下げられて電子機器に設けた第２のスイッチを押圧操作するスイッチ機構であって、
前記スイッチ操作ボタンは、前記第１，第２の被押圧部を第１の面に備え、該第１の面と反対側の第２の面に前記第１，第２のスイッチを押圧するスイッチ押圧部を設けたボタン本体部と、該ボタン本体部の前記第１の被押圧部と第２の被押圧部の中間部においてこれら第１，第２の被押圧部を押圧する方向に延びる弾性を有するアーム部と、を備え、該アーム部の先端部が電子機器に取付けられていることを特徴とするスイッチ機構。
【発明の詳細な説明】
【技術分野】
【０００１】
本発明は、シーソーのように揺動して複数のスイッチを操作する所謂シーソー式のスイッチ操作ボタンおよび該スイッチ操作ボタンを使用したスイッチ機構に関するものである。
【背景技術】
【０００２】
シーソー式のスイッチ操作ボタンおよび該スイッチ操作ボタンを使用したスイッチ機構は、小型の電子機器、例えばＣＤプレーヤやＭＤプレーヤ等のディスク記録及び／又は再生装置、カメラ一体型ビデオテープレコーダやデジタルカメラ等に用いられていて、スイッチ操作ボタンの一端側を押圧することにより第１のスイッチを操作し、他端側を押圧することにより第２のスイッチを操作するようになっている。
【０００３】
例えば、図１３に示すように、シーソー式のスイッチ操作ボタン１０１は、電子機器１０２に取付けられていて、一端側の第１の被押圧部１０３を押圧すると、該第１の被押圧部１０３が押し下げられて、第１のタクトスイッチ１０４を押圧操作し、他端側の第２の被押圧部１０５を押圧すると該第２の被押圧部１０５が押し下げられて第２のタクトスイッチ１０６を押圧するようになっている。
【０００４】
シーソー式のスイッチ操作ボタン１０１は、図１４に示すように、一端側に前記第１の被押圧部１０３を設け、他端側に前記第２の被押圧部１０５を設けたレバー１１１と、該レバー１１１の外側に配置された可撓性（弾性）を有する連結部材としてのヒンジ部１１２と、を備えている。前記ヒンジ部１１２の略中央部にはボス穴１１３が設けられている。
【０００５】
前記スイッチ操作ボタン１０１は、図１５に示すように、前記ヒンジ部１１２のボス穴１１３に電子機器１０２に設けたボス１１４を挿入、溶着することにより電子機器１０２に取付けられている。そして、前述したように、前記レバー１１１の一端側の第１の被押圧部１０３を押圧すると、前記第１の被押圧部１０３が押し下げられて、第１のタクトスイッチ１０４を押圧操作し、他端側の第２の被押圧部１０５を押圧することにより第２のタクトスイッチ１０６を押圧操作するようになっている。なお、図１３に示すように、電子機器１０２側には、レバー支持部材１１５が設けられている。前記レバー支持部材１１５は、前記レバー１１１の下面の中央部を支持している。そして、前記第１，第２の被押圧部１０３，１０５を押圧すると前記レバー１１１は、前記レバー支持部材１１５の上端部を支点にして揺動（回動）するようになっている。（例えば特許文献１）
【特許文献１】特開平５−２０５５７６号公報
【発明の開示】
【発明が解決しようとする課題】
【０００６】
ところで、前記従来のスイッチ操作ボタンおよび該スイッチ操作ボタンを使用したスイッチ機構には、次に述べるような問題点があった。
（１）図１４に示すように、レバー１１１の外側にヒンジ部１１２を配置しているために、スイッチ操作ボタン１０１の幅Ｗが大きなものになる。従って、前記スイッチ操作ボタン１０１の幅Ｗよりも狭い場所、例えば図１６に示すように、前記幅Ｗよりも肉厚Ｔの小さい（Ｗ＞Ｔ）ディスク記録及び／又は再生装置や薄型カメラ２０１の側面２０２等に前記スイッチ操作ボタン１０１を配置することができない。
（２）電子機器１０２側にレバー支持部材１１５を設けなければならないという面倒がある。
【０００７】
本発明の目的は、狭い場所にも配置することのできるスイッチ操作ボタンおよび該スイッチ操作ボタンを使用したスイッチ機構を提供することにある。
【０００８】
また、本発明の他の目的は、電子機器側にレバー支持部材を設ける必要のないスイッチ操作ボタンおよび該スイッチ操作ボタンを使用したスイッチ機構を提供することにある。
【課題を解決するための手段】
【０００９】
本発明のスイッチ操作ボタンは、電子機器に取付けられて一端側の第１の被押圧部を押圧すると該第１の被押圧部が押し下げられて電子機器に設けた第１のスイッチを押圧操作し、他端側の第２の被押圧部を押圧すると該第２の被押圧部が押し下げられて電子機器に設けた第２のスイッチを押圧操作するスイッチ操作ボタンであって、該スイッチ操作ボタンを、前記第１，第２の被押圧部を第１の面に備え該第１の面と反対側の第２の面に前記第１，第２のスイッチを押圧するスイッチ押圧部を設けたボタン本体部と、該ボタン本体部の前記第１の被押圧部と第２の被押圧部の中間部において、これら第１，第２の被押圧部を押圧する方向に延びる弾性を有するアーム部と、で構成すると共に、前記アーム部の先端部を電子機器に取付けた。
【００１０】
前記アーム部を、前記ボタン本体部から第１，第２の被押圧部を押圧する方向に延びるアーム本体部と、該アーム本体部の先端部から両側に向かって延びる一対の補助アーム部と、で構成した。
【００１１】
前記補助アーム部の先端部に、ボス受部を設け、該ボス受部に前記電子機器に設けたボス部を挿入して、該ボス部に前記補助アーム部の先端部を取付け固定した。また、前記一対の補助アーム部の先端部を、前記アーム本体部の先端部よりも前記スイッチ操作ボタン側に位置させた。前記ボタン本体部の前記アーム部の根元部分に軸部を設け、該軸部を電子機器の軸受部に回動可能に支持した。
【００１２】
電子機器に取付けられてスイッチ操作ボタンの一端側の第１の被押圧部を押圧すると該第１の被押圧部が押し下げられて電子機器に設けた第１のスイッチを押圧操作し、他端側の第２の被押圧部を押圧すると該第２の被押圧部が押し下げられて電子機器に設けた第２のスイッチを押圧操作するスイッチ機構において、前記スイッチ操作ボタンを、前記第１，第２の被押圧部を第１の面に設け、該第１の面と反対側の第２の面に前記第１，第２のスイッチを押圧するスイッチ押圧部を設けたボタン本体部と、該ボタン本体部の前記第１の被押圧部と第２の被押圧部の中間部においてこれら第１，第２の被押圧部を押圧する方向に延びる弾性を有するアーム部と、で構成し、該アーム部の先端部が電子機器に取付けた。
【発明の効果】
【００１３】
本発明のスイッチ操作ボタンは、ボタン本体部の第１のスイッチ押圧部と第２のスイッチ押圧部の間に、これら第１，第２の被押圧部を押圧する方向に延びる弾性を有するアーム部を設け、該アーム部の先端部を電子機器に取付ける構成にしたので、アーム部の存在によってスイッチ操作ボタンの幅が拡大するのを防止することができ、肉厚の小さなディスク記録及び／又は再生装置やデジタルカメラの側面等にスイッチ操作ボタンを配置することが可能になる。
【００１４】
前記アーム部を、前記ボタン本体部から第１，第２の被押圧部を押圧する方向に延びるアーム本体部と、該アーム本体部の先端部から両側に向かって延びる一対の補助アーム部と、で構成したので、一方の補助アーム部の先端部と他方の補助アーム部の先端部の２箇所において、前記アーム部の先端部を確実に電子機器に取付けることができる。
【００１５】
前記アーム部の先端部にボス受部を設けたので、該ボス受部に前記電子機器に設けたボス部を挿入して、該ボス部に前記補助アーム部の先端部を確実、容易に取付け固定することができる。また、前記一対の補助アーム部の先端部を、前記アーム本体部の先端部よりも前記スイッチ操作ボタン側に位置させたので、前記アーム部の長さの範囲内に前記一対の補助アーム部の先端部を位置を収めることができる。
【００１６】
また、ボタン本体部の前記アーム部の根元部分に軸部を設け、該軸部を電子機器の軸受部に回動可能に支持したので、前記軸部を中心にして、前記ボタン本体部を回動させることができる。
【発明を実施するための最良の形態】
【００１７】
図１はスイッチ操作ボタン１の斜視図、図２はスイッチ操作ボタン１を背面側から見た斜視図、図３のＡはスイッチ操作ボタン１の正面図、図３のＢは平面図、図３のＣは底面図、図３のＤは左側面図、図３のＥは左側面図、図４は図３のＡのａ−ａ断面図、図５は図３のＢのｂ−ｂ断面図である。
【００１８】
前記スイッチ操作ボタン１は、前記第１，第２の被押圧部２，３を第１の面（以下、上面と称する）４側に備え、該上面４と反対側の第２の面（以下、下面と称する）５側に第１，第２のスイッチ押圧部６，７を設けたボタン本体部８と、該ボタン本体部の前記第１，第２の被押圧部２，３（第１，第２のスイッチ押圧部６，７）の中間部において、これら第１，第２の被押圧部２，３を押圧する方向（Ｐ方向）に延びる弾性を有するアーム部９と、を備えている。図５に示すように、前記ボタン本体部８は、中空状に形成されていて、前記下面５側に前記第１，第２のスイッチ押圧部６，７およびアーム部９が突出している。
【００１９】
図１〜図３に示すように、前記アーム部９は、先端部に両側に向かって延びる一対の補助アーム部１０，１１と、を備えている。これら補助アーム部１０，１１の先端部には丸穴状のボス受部１２が設けられている。前記一対の補助アーム部１０，１１の先端部、即ち丸穴状のボス受部１２は、前記アーム部９の先端１３よりも前記ボタン本体部８側に位置している。換言すれば、図３のＡに示すように、前記ボタン本体部８の下面５から前記ボス受部１２までの距離Ｌ１は、前記ボタン本体部８の下面５から前記アーム部９の先端１３までの距離Ｌ２よりも小になっていて（Ｌ１＜Ｌ２）、前記距離Ｌ２を大きくすることなく前記補助アーム部１１，１２の長さをより長くすることができるようになっている。
【００２０】
前記ボタン本体部８は、前記アーム部９の根元部分に軸部１４を備えている。前記軸部１４は、前記ボタン本体部８の第１の側面１５側に設けられている。一方、前記アーム部９は、前記第１の側面１５と反対側の第２の側面１６側に設けられている。前記ボタン本体部８の上面４の前記第１の被押圧部２の近傍には、被押圧部２であることを示唆するための突起１７が形成されている。なお、前記スイッチ操作ボタン１は、プラスチックにより一体的に形成されている。
【００２１】
次に、前記スイッチ操作ボタン１の使用方法並びに前記スイッチ操作ボタン１を使用したスイッチ機構の一例について説明する。
【００２２】
前記スイッチ操作ボタン１は、ＣＤやＭＤ等のディスクプレーヤ、デジタルカメラ等の小型電子機器に使用される。図６、図７に示すように、前記スイッチ操作ボタン１は、前記軸部１４を小型電子機器の筐体２１内に設けた軸受部２２の軸受孔２３内に挿入し、且つ、前記一対の補助アーム部１０，１１の先端のボス受部１２に前記小型電子機器の筐体２１の内面に設けたボス２５を挿入、固定することにより、前記軸部１４を中心にして回動可能に前記筐体２１内に取付けられていて、前記ボタン本体部８の上面４が前記筐体２１の側面２６に設けた切欠き窓部２７から外部に臨んでいる。
【００２３】
前記小型電子機器の筐体２１内には、前記ボタン本体部８の下面５側から突出する前記第１，第２のスイッチ押圧部６，７に対応する位置に第１，第２のタクトスイッチ３１，３２が配置されて、例えばボリューム用のスイッチ機構が構成されている。
【００２４】
次に、前記スイッチ操作ボタン１並びにスイッチ機構の作用について説明する。前記スイッチ操作ボタン１を押圧、操作しない状態においては、図８に示すように、前記弾性を有するアーム部９のバネ力は、前記軸部１４を中心にして前記ボタン本体部８の両側に均等に作用して、前記ボタン本体部８を傾斜させることなく、前記アーム部９に対して前記ボタン本体部８を直角（以下、水平状態と称する）に支持する。この状態においては、前記第１，第２のタクトスイッチ３１，３２のいずれも押圧、操作されていない。
【００２５】
この状態から、前記ボタン本体部８の上面４の第１の被押圧部２を押圧すると、図９に示すように、前記ボタン本体部８は、前記軸部１４を中心にして、反時計方向に回動して、前記第１のスイッチ押圧部６で前記第１のタクトスイッチ３１を押圧、操作する。このとき、前記アーム部９が図９の右方に撓う。前記第１の被押圧部２の押圧を解除すると、前記ボタン本体部８は、前記アーム部９の復元力で元の水平状態に復帰して、前記第１のタクトスイッチ３１の押圧を解除する。
【００２６】
また、前記ボタン本体部８の上面４の第２の被押圧部３を押圧すると、図１０に示すように、前記ボタン本体部８は、前記軸部１４を中心にして、時計方向に回動して、前記第２のスイッチ押圧部７で前記第１のタクトスイッチ３２を押圧、操作する。このとき、前記アーム部９が図１０の左方に撓う。前記第２の被押圧部３の押圧を解除すると、前記ボタン本体部８は、前記アーム部９の復元力で元の水平状態に復帰して、前記第２のタクトスイッチ３２の押圧を解除する。なお、上記実施例では、前記アーム部９の先端に補助アーム部１０，１１を設け、該補助アーム部１０，１１の先端を固定する構成にしたが、これは補助アーム部１０，１１を含むアーム部９全体の長さをより長くすることによりアーム部９のバネ定数を下げて、アーム部９をより撓み易くするためである。図１１に示すように、補助アーム部１０，１１を設けることなく、アーム部９の先端にボス受部１２等を設け、アーム部９の先端を直接、固定する構成にしても良い。また、図１２に示すように、軸部１４を挿入する前記軸受孔２３を長孔状に形成し、前記ボタン本体部８を水平状態に保ったままの状態で押し下げることを可能にし、前記ボタン本体部８の下面５の略中央部に設けたの第３のスイッチ押圧部１８で第３のタクトスイッチ３３を押圧する構成にしても良い。その他の構成は、図１〜図１０に示す基本となる実施例の場合と同じであるので重複する説明は省略する。
【図面の簡単な説明】
【００２７】
【図１】スイッチ操作ボタンの斜視図。
【図２】スイッチ操作ボタンを背面側から見た斜視図。
【図３】Ａはスイッチ操作ボタンの正面図、Ｂは同平面図、Ｃは同底面図、Ｄは同左側面図、Ｅは右側面図。
【図４】図３のＡのａ−ａ断面図。
【図５】図３のＢのｂ−ｂ断面図。
【図６】スイッチ操作ボタンを組付けた状態の斜視図。
【図７】スイッチ操作ボタンを組付けた状態の断面図。
【図８】第１，第２のスイッチ押圧部を押圧していない状態の平面図。
【図９】第１のスイッチ押圧部を押圧した状態の平面図。
【図１０】第２のスイッチ押圧部を押圧した状態の平面図。
【図１１】他の実施例を示す平面図。
【図１２】他の実施例を示す平面図。
【図１３】従来例の断面図。
【図１４】従来のスイッチ操作ボタンの平面図。
【図１５】図１４のａ−ａ断面図。
【図１６】従来例の問題点を示す説明図。
【符号の説明】
【００２８】
１…スイッチ操作ボタン、２…第１の被押圧部、３…第２の被押圧部、４…スイッチ操作ボタンの第１の面（上面）、５…スイッチ操作ボタンの第２の面（下面）、６…第１のスイッチ押圧部、７…第２のスイッチ押圧部、８…ボタン本体部、９…アーム部、１０，１１…一対の補助アーム部、１２…ボス受部、１４…軸部。
【図１】
2007073386.tif 000003
【図２】
2007073386.tif 000004
【図３】
2007073386.tif 000005
【図４】
2007073386.tif 000006
【図５】
2007073386.tif 000007
【図６】
2007073386.tif 000008
【図７】
2007073386.tif 000009
【図８】
2007073386.tif 000010
【図９】
2007073386.tif 000011
【図１０】
2007073386.tif 000012
【図１１】
2007073386.tif 000013
【図１２】
2007073386.tif 000014
【図１３】
2007073386.tif 000015
【図１４】
2007073386.tif 000016
【図１５】
2007073386.tif 000017
【図１６】
2007073386.tif 000018